(57)【要約】【課題】  従来のデュアルモード携帯電話機が備えるデュプレクサを不要とし、携帯電話機を小型化及び軽量化することが可能な無線装置及びこれを備えるデュアルモード携帯電話機を提供する。【解決手段】  第１及び第２の無線通信方式の送信系及び受信系のうち、第１の無線通信方式の送信系と第２の無線通信方式の受信系において共用される第１の共用アンテナ１を備える。第１の共用アンテナ１に接続され、第１の無線通信方式の送信系と第２の無線通信方式の受信系において使用される帯域の信号を通過させるＳＡＷフィルタ２を備える。ＳＡＷフィルタ２を第１の無線通信方式の送信系と第２の無線通信方式の受信系のうちの何れか１つの系の回路に対して選択的に接続させる第１のスイッチ３を備える。これにより、ＳＡＷフィルタ２を第１の無線通信方式の送信系と第２の無線通信方式の受信系で共用し、デュプレクサを不要とさせる。【選択図】    図２
2006262314.tif 000002
【特許請求の範囲】
【請求項１】
複数の無線通信方式での無線通信が可能な無線装置において、
前記複数の無線通信方式の各々について送信系及び受信系の回路をそれぞれ備え、
前記複数の無線通信方式の送信系及び受信系のうち、何れか２つ以上の系において共用される第１の共用アンテナと、
前記第１の共用アンテナに接続され、前記何れか２つ以上の系において使用される帯域の信号を通過させる共用バンドパスフィルタと、
前記共用バンドパスフィルタを前記何れか２つ以上の系のうちの何れか１つの系の回路に対して選択的に接続させる第１の切替手段と、
を備え、
前記共用バンドパスフィルタを前記何れか２つ以上の系において共用することを特徴とする無線装置。
【請求項２】
前記複数の無線通信方式の送信系及び受信系のうち、前記共用バンドパスフィルタを共用しない系において共用される第２の共用アンテナと、
前記第２の共用アンテナを共用する系にそれぞれ個別に設けられた個別バンドパスフィルタと、
前記個別バンドパスフィルタと前記第２の共用アンテナとの間に設けられた第２の切替手段と、
を備え、
前記第２の切替手段は、前記第２の共用アンテナを、該第２の共用アンテナを共用する系の回路のうち、前記第１の切替手段により前記共用バンドパスフィルタと接続される回路と対応する無線通信方式の回路に対して選択的に接続させることを特徴とする請求項１に記載の無線装置。
【請求項３】
第１及び第２の２つの無線通信方式での無線通信が可能な無線装置において、
前記第１及び第２の無線通信方式の各々について送信系及び受信系の回路をそれぞれ備え、
前記第１の無線通信方式の送信系及び受信系のうちの何れか一方の系と、前記第２の無線通信方式の送信系及び受信系のうちの何れか一方の系と、において共用される第１の共用アンテナと、
前記第１の共用アンテナに接続され、前記第１の無線通信方式の前記一方の系において使用される帯域の信号と、前記第２の無線通信方式の前記一方の系において使用される帯域の信号と、を通過させる共用バンドパスフィルタと、
前記共用バンドパスフィルタを、前記第１の無線通信方式の前記一方の系の回路と、前記第２の無線通信方式の前記一方の系の回路と、のうちの何れか一方の回路に対して選択的に接続させる第１の切替手段と、
を備え、
前記共用バンドパスフィルタを、前記第１の無線通信方式の前記一方の系と、前記第２の無線通信方式の前記一方の系と、において共用することを特徴とする無線装置。
【請求項４】
前記第１の無線通信方式の送信系及び受信系のうちの何れか他方の系と、前記第２の無線通信方式の送信系及び受信系のうちの何れか他方の系と、において共用される第２の共用アンテナと、
前記第１の無線通信方式の前記他方の系と前記第２の無線通信方式の前記他方の系にそれぞれ個別に設けられた個別バンドパスフィルタと、
前記個別バンドパスフィルタと前記第２の共用アンテナとの間に設けられた第２の切替手段と、
を備え、
前記第２の切替手段は、前記第２の共用アンテナを、前記第１の無線通信方式の前記他方の系の回路と、前記第２の無線通信方式の前記他方の系の回路と、のうち、前記第１の切替手段により前記共用バンドパスフィルタと接続される回路と対応する無線通信方式の回路に対して選択的に接続させること特徴とする請求項３に記載の無線装置。
【請求項５】
前記第１の無線通信方式の送信系及び受信系のうちの何れか他方の系と、前記第２の無線通信方式の送信系及び受信系のうちの何れか他方の系と、において共用される第２の共用アンテナと、
前記第２の共用アンテナに接続され、前記第２の共用アンテナより入力される受信信号を前記第１の無線通信方式の前記他方の系の回路に出力する一方で、前記第２の無線通信方式の前記他方の系の回路から入力される送信信号を前記第２の共用アンテナに出力するダイプレクサと、
を備えることを特徴とする請求項３に記載の無線装置。
【請求項６】
第１及び第２の２つの無線通信方式での無線通信が可能な無線装置において、
前記第１の無線通信方式の送信系及び受信系のうちの何れか一方の系の回路と、
前記第２の無線通信方式の送信系及び受信系のうちの何れか一方の系の回路と、
前記第１の無線通信方式の送信系及び受信系のうちの何れか他方の系と、前記第２の無線通信方式の送信系及び受信系のうちの何れか他方の系と、において共用される共用回路と、
前記第１の無線通信方式の前記一方の系と、前記第２の無線通信方式の前記一方の系と、において共用される第１の共用アンテナと、
前記第１の共用アンテナに接続され、前記第１の無線通信方式の前記一方の系において使用される帯域の信号と、前記第２の無線通信方式の前記一方の系において使用される帯域の信号と、を通過させる共用バンドパスフィルタと、
前記第１の無線通信方式の前記他方の系と、前記第２の無線通信方式の前記他方の系と、において共用される第２の共用アンテナと、
第１の切替手段と、
第３の切替手段と、
前記第２の共用アンテナに接続され、前記第２の共用アンテナより入力される受信信号を前記第３の切替手段に出力する一方で、前記第２の無線通信方式の前記他方の系の回路から入力される送信信号を前記第２の共用アンテナに出力するダイプレクサと、
を備え、
前記第１の切替手段は、前記共用バンドパスフィルタを、前記第１の無線通信方式の前記一方の系の回路と、前記第３の切替手段と、のうちの何れか一方に対して選択的に接続させ、
前記第３の切替手段は、前記第１の切替手段が当該第３の切替手段に対して接続されるのに同期して前記共用回路を該第１の切替手段に対して接続させる一方で、前記第１の切替手段が前記第１の無線通信方式の前記一方の系の回路に対して接続されるのに同期して前記共用回路を前記ダイプレクサに対して接続させ、
前記共用バンドパスフィルタを、前記第１の無線通信方式の前記一方の系と、前記第２の無線通信方式の前記一方の系と、において共用することを特徴とする無線装置。
【請求項７】
第１及び第２の２つの無線通信方式での無線通信が可能な無線装置において、
前記第１の無線通信方式の送信系及び受信系のうちの何れか一方の系の回路と、
前記第２の無線通信方式の送信系及び受信系のうちの何れか一方の系の回路と、
前記第１の無線通信方式の送信系及び受信系のうちの何れか他方の系と、前記第２の無線通信方式の送信系及び受信系のうちの何れか他方の系と、において共用される共用回路と、
前記第１の無線通信方式の前記一方の系と、前記第２の無線通信方式の前記一方の系と、において共用される第１の共用アンテナと、
前記第１の共用アンテナに接続され、前記第１の無線通信方式の前記一方の系において使用される帯域の信号と、前記第２の無線通信方式の前記一方の系において使用される帯域の信号と、を通過させる共用バンドパスフィルタと、
前記第１の無線通信方式の前記他方の系と、前記第２の無線通信方式の前記他方の系と、において共用される第２の共用アンテナと、
第４の切替手段と、
前記第２の共用アンテナに接続され、前記第２の共用アンテナより入力される受信信号を前記第４の切替手段に出力する一方で、前記第２の無線通信方式の前記他方の系の回路から入力される送信信号を前記第２の共用アンテナに出力するダイプレクサと、
を備え、
前記第４の切替手段は、
前記共用バンドパスフィルタを前記第１の無線通信方式の前記一方の系の回路に対して接続し、且つ、前記共用バンドパスフィルタと前記共用回路との接続を遮断し、且つ、前記ダイプレクサを前記共用回路に対して接続する状態と、
前記共用バンドパスフィルタと前記第１の無線通信方式の前記一方の系の回路との接続を遮断し、且つ、前記共用バンドパスフィルタを前記共用回路に対して接続し、且つ、前記ダイプレクサと前記共用回路との接続を遮断する状態と、
のうちの何れか一方の状態を選択的に切り替え、
前記共用バンドパスフィルタを、前記第１の無線通信方式の前記一方の系と、前記第２の無線通信方式の前記一方の系と、において共用することを特徴とする無線装置。
【請求項８】
前記共用バンドパスフィルタとして弾性表面波フィルタを備えることを特徴とする請求項１乃至７の何れか一項に記載の無線装置。
【請求項９】
使用者が前記切替手段の切り替え操作を行うための操作手段と、
使用者の切替操作に応じて前記切替手段を切り替え制御する制御手段と、
を備えることを特徴とする請求項１乃至８の何れか一項に記載の無線装置。
【請求項１０】
受信信号の帯域を判定する判定手段と、
前記判定手段の判定結果に応じて前記切替手段を切り替え制御する制御手段と、
を備えることを特徴とする請求項１乃至８の何れか一項に記載の無線装置。
【請求項１１】
請求項１乃至１０の何れか一項に記載の無線装置を備えることを特徴とする無線通信端末装置。
【請求項１２】
当該無線通信端末装置は、携帯端末装置であることを特徴とする請求項１１に記載の無線通信端末装置。
【請求項１３】
当該無線通信端末装置は、携帯電話機であることを特徴とする請求項１２に記載の無線通信端末装置。
【発明の詳細な説明】
【技術分野】
【０００１】
本発明は、無線装置及びこれを備える無線通信端末装置に関する。
【背景技術】
【０００２】
近年、携帯電話機は、第３世代を迎え、単なる通話機能だけでなく、高速データ通信機能をも有することが必須となりつつある。そのため、各国においてＣＤＭＡ（Ｃｏｄｅ  Ｄｉｖｉｓｉｏｎ  Ｍｕｌｔｉｐｌｅ  Ａｃｃｅｓｓ）方式の携帯電話機の採用が検討されている。
【０００３】
しかしながら、各国の周波数事情により、周波数の統一化が困難な状況である。
【０００４】
そのため、ＣＤＭＡ方式の携帯電話機は、マルチバンド（複数の周波数帯）に対応することが求められている。
【０００５】
例えば日本では、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式の携帯電話機の周波数帯として２ＧＨｚ帯を使用しており、北米では、ＣＤＭＡ方式の携帯電話機をＰＣＳ（Ｐｅｒｓｏｎａｌ  Ｃｏｍｍｕｎｉｃａｔｉｏｎ  Ｓｅｒｖｉｃｅｓ）帯の周波数帯域で使用することが検討されている。
【０００６】
ところで、ＣＤＭＡ方式は、符号分割多重接続方式であるために送信機能と受信機能のいずれもが常時動作をしなければならない。つまり、送信機能と受信機能とが同時に動作する必要がある。
【０００７】
そのためＣＤＭＡ方式では、高周波スイッチを用いて送信信号と受信信号とを時分割で分離することはできないため、ＣＤＭＡ方式における送信信号と受信信号の分離には周波数の違いによって送信信号と受信信号とを分離するデュプレクサが用いられる。
【０００８】
例えば、ＷＣＤＭＡ（２ＧＨｚ帯）とＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）１９００（１．９ＧＨｚ帯）のデュアルモード携帯電話機では、２ＧＨｚ用と１．９ＧＨｚ用との両方のデュプレクサが必要である。
【０００９】
図９は、ＷＣＤＭＡとＵＭＴＳ１９００の従来のデュアルモード携帯電話機の無線部１０００を示すブロック図である。
【００１０】
図９に示すように、従来のＣＤＭＡデュアルバンド携帯電話機の無線部１０００は、ＷＣＤＭＡの無線信号を送受信するアンテナ１００１と、ＷＣＤＭＡの受信信号及び送信信号を通過させるデュプレクサ１００２と、ＷＣＤＭＡの受信信号を増幅するローノイズアンプ１００３と、ＷＣＤＭＡの受信信号は通過させ、妨害波などの不要波は減衰させるバンドパスフィルタ１００４と、ＷＣＤＭＡの送信信号は通過させ、高調波などの不要波は減衰させるバンドパスフィルタ１００５と、ＷＣＤＭＡの送信信号を所望の電力に増幅するパワーアンプ１００６と、ＷＣＤＭＡの送信動作を安定させるアイソレータ１００７と、ＵＭＴＳ１９００の無線信号を送受信するアンテナ１０１１と、ＵＭＴＳ１９００の受信信号及び送信信号を通過させるデュプレクサ１０１２と、ＵＭＴＳ１９００の受信信号を増幅するローノイズアンプ１０１３と、ＵＭＴＳ１９００の受信信号は通過させ、妨害波などの不要波は減衰させるバンドパスフィルタ１０１４と、ＵＭＴＳ１９００の送信信号は通過させ、高調波などの不要波は減衰させるバンドパスフィルタ１０１５と、ＵＭＴＳ１９００の送信信号を所望の電力に増幅するパワーアンプ１０１６と、ＵＭＴＳ１９００の送信動作を安定させるアイソレータ１０１７と、受信信号及び送信信号の変調及び復調を行う変復調部１７と、を備えて構成されている。
【００１１】
このうち、アンテナ１００１、デュプレクサ１００２、ローノイズアンプ１００３、バンドパスフィルタ１００４、バンドパスフィルタ１００５、パワーアンプ１００６及びアイソレータ１００７によりＷＣＤＭＡの送受信系が構成され、アンテナ１０１１、デュプレクサ１０１２、ローノイズアンプ１０１３、バンドパスフィルタ１０１４、バンドパスフィルタ１０１５、パワーアンプ１０１６及びアイソレータ１０１７によりＵＭＴＳ１９００の送受信系が構成されている。
【００１２】
このように、従来のＷＣＤＭＡとＵＭＴＳ１９００のＣＤＭＡデュアルバンド携帯電話機の無線部１０００は、ＷＣＤＭＡの送受信系用のデュプレクサ１００２と、ＵＭＴＳ１９００の送受信系用のデュプレクサ１０１２と、の２個のデュプレクサを備える構成となっていた。
【００１３】
また、特許文献１にも、２個のデュプレクサを備えるデュアルバンド携帯電話機が開示されている。
【００１４】
現在、ＣＤＭＡ用のデュプレクサとしては、挿入損失の小さい誘電体形のものが多く用いられている。
【特許文献１】特開２００４−３２０４４６号公報（図２）
【発明の開示】
【発明が解決しようとする課題】
【００１５】
ところで、誘電体形のデュプレクサは、寸法が大きく、重量も重い。
【００１６】
このため、デュアルバンド携帯電話機においては、上記のように２個のデュプレクサが必要なため、小型化・軽量化が容易ではなかった。
【００１７】
本発明は、上記のような問題点を解決するためになされたもので、デュアルモード携帯電話機などの無線通信端末装置を小型化及び軽量化することが可能な無線装置及びこれを備える無線通信端末装置を提供することを目的とする。
【課題を解決するための手段】
【００１８】
上記課題を解決するため、本発明の無線装置は、複数の無線通信方式での無線通信が可能な無線装置において、前記複数の無線通信方式の各々について送信系及び受信系の回路をそれぞれ備え、前記複数の無線通信方式の送信系及び受信系のうち、何れか２つ以上の系において共用される第１の共用アンテナと、前記第１の共用アンテナに接続され、前記何れか２つ以上の系において使用される帯域の信号を通過させる共用バンドパスフィルタと、前記共用バンドパスフィルタを前記何れか２つ以上の系のうちの何れか１つの系の回路に対して選択的に接続させる第１の切替手段と、を備え、前記共用バンドパスフィルタを前記何れか２つ以上の系において共用することを特徴としている。
【００１９】
本発明の無線装置においては、前記複数の無線通信方式の送信系及び受信系のうち、前記共用バンドパスフィルタを共用しない系において共用される第２の共用アンテナと、前記第２の共用アンテナを共用する系にそれぞれ個別に設けられた個別バンドパスフィルタと、前記個別バンドパスフィルタと前記第２の共用アンテナとの間に設けられた第２の切替手段と、を備え、前記第２の切替手段は、前記第２の共用アンテナを、該第２の共用アンテナを共用する系の回路のうち、前記第１の切替手段により前記共用バンドパスフィルタと接続される回路と対応する無線通信方式の回路に対して選択的に接続させることが好ましい。
【００２０】
また、本発明の無線装置は、第１及び第２の２つの無線通信方式での無線通信が可能な無線装置において、前記第１及び第２の無線通信方式の各々について送信系及び受信系の回路をそれぞれ備え、前記第１の無線通信方式の送信系及び受信系のうちの何れか一方の系と、前記第２の無線通信方式の送信系及び受信系のうちの何れか一方の系と、において共用される第１の共用アンテナと、前記第１の共用アンテナに接続され、前記第１の無線通信方式の前記一方の系において使用される帯域の信号と、前記第２の無線通信方式の前記一方の系において使用される帯域の信号と、を通過させる共用バンドパスフィルタと、前記共用バンドパスフィルタを、前記第１の無線通信方式の前記一方の系の回路と、前記第２の無線通信方式の前記一方の系の回路と、のうちの何れか一方の回路に対して選択的に接続させる第１の切替手段と、を備え、前記共用バンドパスフィルタを、前記第１の無線通信方式の前記一方の系と、前記第２の無線通信方式の前記一方の系と、において共用することを特徴としている。
【００２１】
本発明の無線装置においては、前記第１の無線通信方式の送信系及び受信系のうちの何れか他方の系と、前記第２の無線通信方式の送信系及び受信系のうちの何れか他方の系と、において共用される第２の共用アンテナと、前記第１の無線通信方式の前記他方の系と前記第２の無線通信方式の前記他方の系にそれぞれ個別に設けられた個別バンドパスフィルタと、前記個別バンドパスフィルタと前記第２の共用アンテナとの間に設けられた第２の切替手段と、を備え、前記第２の切替手段は、前記第２の共用アンテナを、前記第１の無線通信方式の前記他方の系の回路と、前記第２の無線通信方式の前記他方の系の回路と、のうち、前記第１の切替手段により前記共用バンドパスフィルタと接続される回路と対応する無線通信方式の回路に対して選択的に接続させることが好ましい。
【００２２】
本発明の無線装置においては、前記第１の無線通信方式の送信系及び受信系のうちの何れか他方の系と、前記第２の無線通信方式の送信系及び受信系のうちの何れか他方の系と、において共用される第２の共用アンテナと、前記第２の共用アンテナに接続され、前記第２の共用アンテナより入力される受信信号を前記第１の無線通信方式の前記他方の系の回路に出力する一方で、前記第２の無線通信方式の前記他方の系の回路から入力される送信信号を前記第２の共用アンテナに出力するダイプレクサと、を備えることも好ましい。
【００２３】
また、本発明の無線装置は、第１及び第２の２つの無線通信方式での無線通信が可能な無線装置において、前記第１の無線通信方式の送信系及び受信系のうちの何れか一方の系の回路と、前記第２の無線通信方式の送信系及び受信系のうちの何れか一方の系の回路と、前記第１の無線通信方式の送信系及び受信系のうちの何れか他方の系と、前記第２の無線通信方式の送信系及び受信系のうちの何れか他方の系と、において共用される共用回路と、前記第１の無線通信方式の前記一方の系と、前記第２の無線通信方式の前記一方の系と、において共用される第１の共用アンテナと、前記第１の共用アンテナに接続され、前記第１の無線通信方式の前記一方の系において使用される帯域の信号と、前記第２の無線通信方式の前記一方の系において使用される帯域の信号と、を通過させる共用バンドパスフィルタと、前記第１の無線通信方式の前記他方の系と、前記第２の無線通信方式の前記他方の系と、において共用される第２の共用アンテナと、第１の切替手段と、第３の切替手段と、前記第２の共用アンテナに接続され、前記第２の共用アンテナより入力される受信信号を前記第３の切替手段に出力する一方で、前記第２の無線通信方式の前記他方の系の回路から入力される送信信号を前記第２の共用アンテナに出力するダイプレクサと、を備え、前記第１の切替手段は、前記共用バンドパスフィルタを、前記第１の無線通信方式の前記一方の系の回路と、前記第３の切替手段と、のうちの何れか一方に対して選択的に接続させ、前記第３の切替手段は、前記第１の切替手段が当該第３の切替手段に対して接続されるのに同期して前記共用回路を該第１の切替手段に対して接続させる一方で、前記第１の切替手段が前記第１の無線通信方式の前記一方の系の回路に対して接続されるのに同期して前記共用回路を前記ダイプレクサに対して接続させ、前記共用バンドパスフィルタを、前記第１の無線通信方式の前記一方の系と、前記第２の無線通信方式の前記一方の系と、において共用することを特徴としている。
【００２４】
また、本発明の無線装置は、第１及び第２の２つの無線通信方式での無線通信が可能な無線装置において、前記第１の無線通信方式の送信系及び受信系のうちの何れか一方の系の回路と、前記第２の無線通信方式の送信系及び受信系のうちの何れか一方の系の回路と、前記第１の無線通信方式の送信系及び受信系のうちの何れか他方の系と、前記第２の無線通信方式の送信系及び受信系のうちの何れか他方の系と、において共用される共用回路と、前記第１の無線通信方式の前記一方の系と、前記第２の無線通信方式の前記一方の系と、において共用される第１の共用アンテナと、前記第１の共用アンテナに接続され、前記第１の無線通信方式の前記一方の系において使用される帯域の信号と、前記第２の無線通信方式の前記一方の系において使用される帯域の信号と、を通過させる共用バンドパスフィルタと、前記第１の無線通信方式の前記他方の系と、前記第２の無線通信方式の前記他方の系と、において共用される第２の共用アンテナと、第４の切替手段と、前記第２の共用アンテナに接続され、前記第２の共用アンテナより入力される受信信号を前記第４の切替手段に出力する一方で、前記第２の無線通信方式の前記他方の系の回路から入力される送信信号を前記第２の共用アンテナに出力するダイプレクサと、を備え、前記第４の切替手段は、前記共用バンドパスフィルタを前記第１の無線通信方式の前記一方の系の回路に対して接続し、且つ、前記共用バンドパスフィルタと前記共用回路との接続を遮断し、且つ、前記ダイプレクサを前記共用回路に対して接続する状態と、前記共用バンドパスフィルタと前記第１の無線通信方式の前記一方の系の回路との接続を遮断し、且つ、前記共用バンドパスフィルタを前記共用回路に対して接続し、且つ、前記ダイプレクサと前記共用回路との接続を遮断する状態と、のうちの何れか一方の状態を選択的に切り替え、前記共用バンドパスフィルタを、前記第１の無線通信方式の前記一方の系と、前記第２の無線通信方式の前記一方の系と、において共用することを特徴としている。
【００２５】
本発明の無線装置においては、前記共用バンドパスフィルタとして弾性表面波フィルタを備えることが好ましい。
【００２６】
本発明の無線装置においては、使用者が前記切替手段の切り替え操作を行うための操作手段と、使用者の切替操作に応じて前記切替手段を切り替え制御する制御手段と、を備えることが好ましい。
【００２７】
或いは、本発明の無線装置においては、受信信号の帯域を判定する判定手段と、前記判定手段の判定結果に応じて前記切替手段を切り替え制御する制御手段と、を備えることも好ましい。
【００２８】
また、本発明の無線通信端末装置は、本発明の無線装置を備えることを特徴としている。
【００２９】
本発明の無線通信端末装置は、携帯電話機などの携帯端末装置であることを好ましい例としている。
【発明の効果】
【００３０】
本発明によれば、無線装置は、第１の共用アンテナに接続され、複数の無線通信方式の送信系及び受信系のうち何れか２つ以上の系において使用される帯域の信号を通過させる共用バンドパスフィルタと、共用バンドパスフィルタを前記何れか２つ以上の系のうちの何れか１つの系の回路に対して選択的に接続させる第１の切替手段と、を備え、共用バンドパスフィルタを前記何れか２つ以上の系において共用するので、デュプレクサを備える必要がない。よって、無線装置の小型化・軽量化を実現することができる。
【００３１】
このため、この無線装置を備えるデュアルバンド無線通信端末装置（複数の無線通信方式での無線通信が可能な無線通信端末装置）の小型化・軽量化を実現することができる。
【発明を実施するための最良の形態】
【００３２】
以下、図面を参照して、本発明に係る実施形態について説明する。
【００３３】
〔第１の実施形態〕
図１は第１の実施形態に係るＣＤＭＡデュアルバンド携帯電話機（無線通信端末装置、携帯電話機）１００を示すブロック図である。
【００３４】
図１に示すように、第１の実施形態に係るＣＤＭＡデュアルバンド携帯電話機１００は、無線通信を行う無線部（無線装置）３０と、例えば、複数の操作キーからなり使用者により操作される操作部（操作手段）４０と、例えば、液晶表示装置からなり表示動作を行う表示部５０と、各種の制御動作を行う制御部（制御手段）６０と、例えば、充電及び着脱可能な二次電池からなる電源としての電池部７０と、発音動作を行う発音部８０（スピーカ）と、受話動作を行う受話部９０（マイク）と、を備えて構成されている。
【００３５】
このうち無線部３０は、第１の共用アンテナ１及び第２の共用アンテナ９（図２）を備え、これらアンテナ１，９により基地局からの無線信号を受信し、該受信した無線信号を復調する。このように復調された無線部３０からの出力信号は、制御部６０に入力される。
【００３６】
制御部６０は、無線部３０からの出力信号に基づいて、例えば、発音部８０に対して発音動作（着信音や、通話の際の相手方の音声などの発音動作）を行わせたり、表示部５０に対して表示動作（着信中である旨を示す表示や、通話中である旨を示す表示）を行わせたりする。
【００３７】
また、無線部３０は、（受話部９０からの音声入力に基づき生成される）制御部６０からの音声信号や制御部６０からの制御信号を変調し無線信号に変えて、該無線信号をアンテナ１，９より基地局に対して送信する。
【００３８】
携帯端末装置１００は、このように無線部３０を介して無線通信を行うことにより、通話、電子メールの送受信、インターネット接続といった通信機能を実行することが可能となっている。
【００３９】
制御部６０は、例えば、発音部８０、無線部３０、表示部５０の動作制御を含む各種の制御動作を行うＣＰＵと、このＣＰＵにより実行される各種の制御プログラム（プログラム）を記憶したＲＯＭ（記録媒体）と、ＣＰＵの作業領域などとして機能するＲＡＭと、を備えて構成されている。制御部６０の動作はＲＯＭに格納されている制御プログラムに従って行われる。
【００４０】
次に、無線部３０の構成について詳細に説明する。
【００４１】
図２は第１の実施形態に係るＣＤＭＡデュアルバンド携帯電話機１００の無線部３０の構成を示すブロック図である。
【００４２】
本実施形態に係るＣＤＭＡデュアルバンド携帯電話機１００は、例えば、ＷＣＤＭＡ（２ＧＨｚ帯）とＵＭＴＳ１９００（１．９ＧＨｚ帯）のデュアルモード携帯電話機である。
【００４３】
このため、第１の実施形態に係るＣＤＭＡデュアルバンド携帯電話機１００の無線部３０は、例えば、図２に示すように、ＵＭＴＳ１９００の無線信号を受信し、ＷＣＤＭＡの無線信号を送信する第１の共用アンテナ１と、ＷＣＤＭＡの送信信号とＵＭＴＳ１９００の受信信号を通過させる共用バンドパスフィルタとしてのＳＡＷフィルタ（Ｓｕｒｆａｃｅ  Ａｃｏｕｓｔｉｃ  Ｗａｖｅ  Ｆｉｌｔｅｒ：弾性表面波フィルタ）２と、制御部（制御手段）６０からの制御信号によりＷＣＤＭＡ送信信号とＵＭＴＳ１９００受信信号のパスを切り替え制御する第１のスイッチ３（第１の切替手段）と、第１の共用アンテナ１で受信したＵＭＴＳ１９００の受信信号を増幅するローノイズアンプ７と、ＵＭＴＳ１９００の受信信号は通過させ、妨害波などの不要波は減衰させるバンドパスフィルタ８と、ＷＣＤＭＡの送信信号は通過させ、高調波などの不要波は減衰させるバンドパスフィルタ６と、ＷＣＤＭＡの送信信号を所望の電力に増幅するパワーアンプ５と、ＷＣＤＭＡの送信動作を安定させるアイソレータ４と、ＷＣＤＭＡの無線信号を受信し、ＵＭＴＳ１９００の無線信号を送信する第２の共用アンテナ９と、制御部６０からの制御信号によりＵＭＴＳ１９００の送信信号とＷＣＤＭＡの受信信号のパスを切り替え制御する第２のスイッチ（第２の切替手段）１０と、ＷＣＤＭＡの受信信号は通過させ、妨害波などの不要波は減衰させるバンドパスフィルタ（個別バンドパスフィルタ）１１と、ＷＣＤＭＡの受信信号を増幅するローノイズアンプ１２と、ＵＭＴＳ１９００の送信号は通過させ、高調波などの不要波は減衰させるバンドパスフィルタ１６と、ＵＭＴＳ１９００の送信信号を所望の電力に増幅するパワーアンプ１５と、ＵＭＴＳ１９００の送信動作を安定させるアイソレータ１４と、ＵＭＴＳ１９００の送信信号は通過させ、高調波などの不要波は減衰させるバンドパスフィルタ（個別バンドパスフィルタ）１３と、受信信号及び送信信号の変調及び復調を行う変復調部１７と、を備えて構成されている。
【００４４】
なお、第１のスイッチ３および第２のスイッチ１０には、送信電力によってローノイズアンプ７、バンドパスフィルタ１１及びローノイズアンプ１２が破壊されないようなアイソレーションが必要となる。
【００４５】
第１の共用アンテナ１は、ＳＡＷフィルタ２に接続されているとともに、該ＳＡＷフィルタ２を介して、第１のスイッチ３の端子ａに接続されている。
【００４６】
第１のスイッチ３は、端子ａの他に、端子ｂ及び端子ｃを備えている。
【００４７】
第１のスイッチ３は、制御部６０の制御下で、端子ａ−端子ｂ間が相互に接続する状態と、端子ａ−端子ｃ間が相互に接続する状態と、のうちの何れか一方の状態に切り替えられる。
【００４８】
第１のスイッチ３の端子ｃには、ローノイズアンプ７が接続されているとともに、該ローノイズアンプ７及びバンドパスフィルタ８をこの順に介して変復調部１７が接続されている。
【００４９】
また、変復調部１７には、バンドパスフィルタ６が接続されているとともに、該バンドパスフィルタ６、パワーアンプ５及びアイソレータ４をこの順に介して第１のスイッチ３の端子ｂが接続されている。
【００５０】
また、第２の共用アンテナ９は、第２のスイッチ１０の端子ｄに接続されている。
【００５１】
第２のスイッチ１０は、端子ｄの他に、端子ｅ及び端子ｆを備えている。
【００５２】
第２のスイッチ１０は、制御部６０の制御下で、端子ｄ−端子ｅ間が相互に接続する状態と、端子ｄ−端子ｆ間が相互に接続する状態と、のうちの何れか一方の状態に切り替えられる。
【００５３】
第２のスイッチ１０の端子ｅには、バンドパスフィルタ１１が接続されているとともに、該バンドパスフィルタ１１及びローノイズアンプ１２をこの順に介して変復調部１７が接続されている。
【００５４】
変復調部１７には、バンドパスフィルタ１６が接続されているとともに、該バンドパスフィルタ１６、パワーアンプ１５、アイソレータ１４及びバンドパスフィルタ１３をこの順に介して第２のスイッチ１０の端子ｆが接続されている。
【００５５】
上記の各構成のうち、アイソレータ４、パワーアンプ５及びバンドパスフィルタ６はＷＣＤＭＡ（第１の無線通信方式）の送信系（第１の無線通信方式の何れか一方の系）の回路であり、ローノイズアンプ７及びバンドパスフィルタ８はＵＭＴＳ１９００（第２の無線通信方式）の受信系（第２の無線通信方式の何れか一方の系）の回路である。
【００５６】
第１の共用アンテナ１及びＳＡＷフィルタ２は、ＷＣＤＭＡの送信系（第１の無線通信方式の何れか一方の系）とＵＭＴＳ１９００の受信系（第２の無線通信方式の何れか一方の系）において共用される。
【００５７】
ここで、ＷＣＤＭＡの送信信号の周波数帯域は１９２０ＭＨｚ−１９８０ＭＨｚであり、ＵＭＴＳ１９００の受信信号の周波数帯域は１９３０ＭＨｚ−１９９０ＭＨｚである。
【００５８】
つまり、ＷＣＤＭＡの送信信号とＵＭＴＳ１９００の受信信号とは互いの周波数帯域がほぼ重複している。このため、ＷＣＤＭＡの送信系とＵＭＴＳ１９００の受信系のフロントエンドにおいては、好適に１個のバンドパスフィルタ（例えば、ＳＡＷフィルタ２）を共用することができる。
【００５９】
ＳＡＷフィルタ２は、ＷＣＤＭＡの送信信号とＵＭＴＳ１９００の受信信号の両方を通過させる必要があるため、例えば、１９２０−１９９０ＭＨｚの通過帯域幅を持つ。
【００６０】
また、上記の各構成のうち、バンドパスフィルタ１１及びローノイズアンプ１２はＷＣＤＭＡ（第１の無線通信方式）の受信系（第１の無線通信方式の何れか他方の系）の回路であり、バンドパスフィルタ１３、アイソレータ１４、パワーアンプ１５及びバンドパスフィルタ１６はＵＭＴＳ１９００（第２の無線通信方式）の送信系（第２の無線通信方式の何れか他方の系）の回路である。
【００６１】
第２の共用アンテナ９は、ＷＣＤＭＡの受信系（第１の無線通信方式の何れか他方の系）とＵＭＴＳ１９００の送信系（第２の無線通信方式の何れか他方の系）において共用される。
【００６２】
ここで、ＷＣＤＭＡの受信信号の周波数帯域は２１１０ＭＨｚ−２１７０ＭＨｚであり、ＵＭＴＳ１９００の送信信号の周波数帯域は１８５０ＭＨｚ−１９１０ＭＨｚである。
【００６３】
つまり、ＷＣＤＭＡの受信信号とＵＭＴＳ１９００の送信信号とは互いの周波数帯域が離れている。このため、ＷＣＤＭＡの受信系とＵＭＴＳ１９００の送信系のフロントエンドにおいては、１個のバンドパスフィルタを共用するのは不都合である。
【００６４】
よって、ＷＣＤＭＡの受信系のフロントエンドにおいてはバンドパスフィルタ（個別バンドパスフィルタ）１１を、ＵＭＴＳ１９００の送信系のフロントエンドにおいてはバンドパスフィルタ（個別バンドパスフィルタ）１３を、それぞれ個別に備えている。
【００６５】
なお、ＷＣＤＭＡの受信系において、バンドパスフィルタ１１とローノイズアンプ１２のうち、バンドパスフィルタ１１をフロントエンドに配置しているのは、ＵＭＴＳ１９００の送信系の送信電力によってローノイズアンプ１２が破壊されないようなアイソレーションをとるためである。
【００６６】
また、携帯電話機１００においては、該携帯端末装置１００の使用地域がＷＣＤＭＡの地域（例えば日本）であるか又はＵＭＴＳ１９００の地域（例えば北米）を該携帯電話機１００の使用者により設定操作することが可能となっている。
【００６７】
ＷＣＤＭＡの地域である旨の設定操作がなされている場合、制御部６０は、第１のスイッチ３を端子ａ−端子ｂ間が相互に接続されるように制御するとともに、第２のスイッチ１０を端子ｄ−端子ｅ間が相互に接続されるように制御する。
【００６８】
つまり、第１のアンテナ１をＳＡＷフィルタ２を介してＷＣＤＭＡの送信系の回路（アイソレータ４、パワーアンプ５及びバンドパスフィルタ６）に接続する状態に設定するとともに、第２のアンテナ９をＷＣＤＭＡの受信系の回路（バンドパスフィルタ１１及びローノイズアンプ１２）に接続する状態に設定することにより、ＷＣＤＭＡの送信系及び受信系が機能する状態とする。
【００６９】
他方、ＵＭＴＳ１９００の地域である旨の設定操作がなされている場合、制御部６０は、第１のスイッチ３を端子ａ−端子ｃ間が相互に接続されるように制御するとともに、第２のスイッチ１０を端子ｄ−端子ｆ間が相互に接続されるように制御する。
【００７０】
つまり、第１のアンテナ１をＳＡＷフィルタ２を介してＵＭＴＳ１９００の受信系の回路（ローノイズアンプ７及びバンドパスフィルタ８）に接続する状態に設定するとともに、第２のアンテナ９をＵＭＴＳ１９００の送信系の回路（バンドパスフィルタ１３、アイソレータ１４、パワーアンプ１５及びバンドパスフィルタ１６）に接続する状態に設定することにより、ＵＭＴＳ１９００の送信系及び受信系が機能する状態とする。
【００７１】
次に、動作を説明する。
【００７２】
＜ＷＣＤＭＡの動作＞
ＷＣＤＭＡの地域（例えば日本）では、予め、携帯電話機１００の使用者により、ＷＣＤＭＡの地域である旨の設定操作がなされているものとする。
【００７３】
このため、第２のスイッチ１０は、制御部６０により、端子ｄ−端子ｅ間が相互に接続するように制御されている。
【００７４】
よって、例えばＷＣＤＭＡ用基地局（図示略）から送信されるＷＣＤＭＡの無線信号を第２の共用アンテナ９で受信すると、該受信したＷＣＤＭＡ無線信号は、スイッチ１０の端子ｄ−端子ｅ間を通ってバンドパスフィルタ１１に入力され、該バンドパスフィルタ１１により妨害波などの不要波が減衰された後、ローノイズアンプ１２により増幅され、更に、変復調部１７にて復調される。
【００７５】
また、ＷＣＤＭＡの送信信号を送信する場合、該送信信号は変復調部１７により変調された後、バンドパスフィルタ６に入力され、該バンドパスフィルタ６を通過することにより高調波などの不要波が減衰された後、パワーアンプ５によって所望の電力に増幅され、アイソレータ４を通過する。
【００７６】
ここで、第１のスイッチ３は、制御部６０により、端子ａ−端子ｂ間が相互に接続するように制御されているため、ＷＣＤＭＡの送信信号は、第１のスイッチ３の端子ｂ−端子ａ間を通ってＳＡＷフィルタ２に入力され、該ＳＡＷフィルタ２を通過することにより１９２０〜１９９０ＭＨｚ以外の帯域の信号が減衰された後で、第１の共用アンテナ１より送信される。
【００７７】
＜ＵＭＴＳ１９００の動作＞
ＵＭＴＳ１９００の地域（例えば北米）では、予め、携帯電話機１００の使用者により、ＵＭＴＳ１９００の地域である旨の設定操作がなされているものとする。
【００７８】
このため、第１のスイッチ３は、制御部６０により、端子ａ−端子ｃ間が相互に接続するように制御されている。
【００７９】
よって、例えばＵＭＴＳ１９００基地局（図示略）からのＵＭＴＳ１９００の無線信号を第１の共用アンテナ１で受信すると、受信したＵＭＴＳ１９００無線信号は、ＳＡＷフィルタ２を通過することにより１９２０−１９９０ＭＨｚ以外の帯域の信号が減衰された後で、第１のスイッチ３の端子ａ−端子ｃ間を通ってローノイズアンプ７に入力され、該ローノイズアンプ７にて増幅された後、バンドパスフィルタ８を通過することにより妨害波などの不要波が減衰され、更に、変復調部１７にて復調される。
【００８０】
またＵＭＴＳ１９００の送信信号を送信する場合、該送信信号は変復調部１７により変調された後、バンドパスフィルタ１６に入力され、該バンドパスフィルタ１６を通過することにより不要波が減衰される。更に、ＵＭＴＳ１９００の送信信号は、パワーアンプ１５によって所望の電力に増幅された後、アイソレータ４を通過し、バンドパスフィルタ１３を通過することにより高調波などの不要波が減衰される。
【００８１】
また、第２のスイッチ１０は、制御部６０により、図２に示す端子ｄ−端子ｆ間が相互に接続するように制御されているため、ＵＭＴＳ１９００の送信信号はスイッチ１０の端子ｄ−端子ｆ間を通って第２の共用アンテナ９から送信される。
【００８２】
以上のような第１の実施形態によれば、無線部３０は、ＷＣＤＭＡの送信系とＵＭＴＳ１９００の受信系において共用される第１の共用アンテナ１と、第１の共用アンテナ１に接続され、ＷＣＤＭＡの送信系において使用される帯域の信号とＵＭＴＳ１９００の受信系において使用される帯域の信号とを通過させるＳＡＷフィルタ２と、ＳＡＷフィルタ２を、ＷＣＤＭＡの送信系の回路とＵＭＴＳ１９００の受信系の回路のうちの何れか一方の回路に対して選択的に接続させる第１のスイッチ３と、を備えるので、ＳＡＷフィルタ２をＷＣＤＭＡの送信系及びＵＭＴＳ１９００の受信系において共用することができる。
【００８３】
よって、無線部３０は、従来技術とは異なり、デュプレクサを備える必要がない。よって、無線部３０の小型化・軽量化を実現することができ、この無線部３０を備えるデュアルバンド携帯電話機１００の小型化・軽量化を実現することができる。
【００８４】
更に、ＷＣＤＭＡの受信系とＵＭＴＳ１９００の送信系において共用される第２の共用アンテナ９と、ＷＣＤＭＡの受信系とＵＭＴＳ１９００の送信系にそれぞれ個別に設けられたバンドパスフィルタ１１，１３と、バンドパスフィルタ１１，１３と第２の共用アンテナ９との間に設けられ、第２の共用アンテナ９をＷＣＤＭＡの受信系の回路とＵＭＴＳ１９０の送信系の回路のうちの何れか一方の回路に対して選択的に接続させる第２のスイッチ１０と、を備えているとともに、第１及び第２のスイッチ３，１０の動作を同期させて行うので、ＷＣＤＭＡとＵＭＴＳ１９００のそれぞれの送受信を分離したにもかかわらず、ＷＣＤＭＡとＵＭＴＳ１９００それぞれの送受信を同期させて同時動作させることができる。
【００８５】
なお、上記の第１の実施形態では、携帯電話機１００がＷＣＤＭＡとＵＭＴＳ１９００のデュアルモード携帯電話機であるため、互いに周波数帯域がほぼ一致するＷＣＤＭＡの送信系とＵＭＴＳ１９００の受信系で共用バンドパスフィルタとしてのＳＡＷフィルタ２及び第１の共用アンテナ１を共用する一方で、ＷＣＤＭＡの受信系とＵＭＴＳ１９００の送信系で第２の共用アンテナ９を共用する例を説明したが、２つの無線通信方式の各々の送信系及び受信系で使用される信号の周波数帯域に応じては、共用バンドパスフィルタとしてのＳＡＷフィルタ２及び第１の共用アンテナ１を共用する系の組み合わせ、並びに、第２の共用アンテナ９を共用する系の組み合わせは、適宜に変更可能である。
【００８６】
すなわち、共用バンドパスフィルタとしてのＳＡＷフィルタ２及び第１の共用アンテナ１を共用する系が、双方の無線通信方式の送信系であっても良いし、或いは、双方の無線通信方式の受信系であっても良い。
【００８７】
〔第２の実施形態〕
図３は第２の実施形態に係るＣＤＭＡデュアルバンド携帯電話機（全体図示略）の無線部２３０の構成を示すブロック図である。
【００８８】
第２の実施形態に係るＣＤＭＡデュアルバンド携帯電話機は、その無線部（無線装置）２３０の構成の一部が上記の第１の実施形態に係るＣＤＭＡデュアルバンド携帯電話機１００の無線部３０（図２）と異なる点の他は、第１の実施形態に係るＣＤＭＡデュアルバンド携帯電話機１００と同様に構成されている。無線部２３０の各構成要素のうち、無線部３０（図２）におけるのと同様の構成要素には同一の符号を付し、その説明を省略する。
【００８９】
図３に示すように、第２の実施形態に係るＣＤＭＡデュアルバンド携帯電話機の無線部２３０は、図２に示す無線部３０におけるスイッチ１０及びバンドパスフィルタ１３に代えて、ダイプレクサ１８を備える構成となっている。
【００９０】
ダイプレクサ１８は、端子ｇ、端子ｈ、端子ｉの３つの端子を備えている。
【００９１】
このうち端子ｇは第２の共用アンテナ９に、端子ｈはバンドパスフィルタ１１に、端子ｉはアイソレータ１４に、それぞれ接続されている。
【００９２】
ダイプレクサ１８は、第２の共用アンテナ９で受信したＷＣＤＭＡの受信信号を、端子ｇ−端子ｈ間を通してバンドパスフィルタ１１（第１の無線通信方式の他方の系の回路）に入力する一方で、ＵＭＴＳ１９００の送信信号（第２の無線通信方式の他方の系の回路から入力される送信信号）をアイソレータ１４から端子ｉ−端子ｇ間を通して第２の共用アンテナ９より送信させる。
【００９３】
第２の実施形態によれば、上記の第１の実施形態と同様の効果が得られる他に、ＵＭＴＳ１９００の送信信号とＷＣＤＭＡの受信信号の分離にダイプレクサ１８を用いることにより、上記の第１の実施形態よりも更に小型化・軽量化・原価低減が可能となる。
【００９４】
〔第３の実施形態〕
図４は第３の実施形態に係るＣＤＭＡデュアルバンド携帯電話機（全体図示略）の無線部（無線装置）３３０の構成を示すブロック図であり、図５は第３の実施形態における第１のスイッチ３及び第３のスイッチ１９（後述）の接続関係を示す図である。
【００９５】
第３の実施形態に係るＣＤＭＡデュアルバンド携帯電話機は、その無線部３３０の構成の一部が上記の第２の実施形態に係るＣＤＭＡデュアルバンド携帯電話機の無線部２３０と異なる点の他は、第２の実施形態に係るＣＤＭＡデュアルバンド携帯電話機と同様に構成されている。無線部３３０の各構成要素のうち、無線部３３０（図３）におけるのと同様の構成要素には同一の符号を付し、その説明を省略する。
【００９６】
第３の実施形態の場合、無線部３３０は、ローノイズアンプ７及びバンドパスフィルタ８をＷＣＤＭＡの受信時およびＵＭＴＳ１９００受信時で共用される共用回路とし、バンドパスフィルタ１１及びローノイズアンプ１２（共に図２、図３）を不要とするために、図４及び図５に示すように第３のスイッチ（第３の切替手段）１９を備えている。
【００９７】
第３のスイッチ１９は、端子ｊ、端子ｌ、端子ｋを備えている。
【００９８】
第３のスイッチ１９の端子ｊは、第１のスイッチ３の端子ｃに接続され、端子ｌはローノイズアンプ７に接続され、端子ｋはダイプレクサの端子ｈに接続されている。
【００９９】
図６は本実施形態における第１のスイッチ３及び第３のスイッチ１９の切り替え制御を説明するための図である。
【０１００】
図６に示すように、本実施形態においても、第１のスイッチ３の切り替え制御は上記の第１及び第２の実施形態と同様である。
【０１０１】
他方、第３のスイッチ１９は、制御部６０の制御下で、端子ｊ−端子ｌ間が相互に接続する状態と、端子ｋ−端子ｌ間が相互に接続する状態と、のうちの何れか一方の状態に切り替えられる。
【０１０２】
すなわち、第３のスイッチ１９は、第１のスイッチ３が当該第３のスイッチ１９に対して接続されるのに同期して共用回路（ローノイズアンプ７及びバンドパスフィルタ８）を該第１のスイッチ３に対して接続させる一方で、第１のスイッチ３がＷＣＤＭＡの送信系の回路に対して接続されるのに同期して共用回路をダイプレクサ１８に対して接続させる。
【０１０３】
つまり、第３のスイッチ１９は、使用者によりＷＣＤＭＡの地域である旨の設定操作がなされている場合には、端子ｋ−端子ｌ間が相互に接続されるように制御される一方で、使用者によりＵＭＴＳ１９００の地域である旨の設定操作がなされている場合には、端子ｊ−端子ｌ間が相互に接続されるように制御される。
【０１０４】
次に、動作を説明する。
【０１０５】
＜ＷＣＤＭＡの動作＞
ＷＣＤＭＡの地域（例えば日本）では、予め、使用者により、ＷＣＤＭＡの地域である旨の設定操作がなされているものとする。
【０１０６】
このため、第１のスイッチ３は端子ａ−端子ｂ間が相互に接続され、第３のスイッチ１９は端子ｋ−端子ｌ間が相互に接続されている。
【０１０７】
よって、ＷＣＤＭＡの受信信号は、第２の共用アンテナ９にて受信された後、ダイプレクサ１８を通過し、第３のスイッチ１９を通過し、ローノイズアンプ７に入力される。
【０１０８】
また、ＷＣＤＭＡの送信信号は、アイソレータ４から第１のスイッチ３を通過し、ＳＡＷフィルタ２を通過し、第１の共用アンテナ１より送信される。
【０１０９】
＜ＵＭＴＳ１９００の動作＞
ＵＭＴＳ１９００の地域（例えば北米）では、予め、使用者により、ＵＭＴＳ１９００の地域である旨の設定操作がなされているものとする。
【０１１０】
このため、第１のスイッチ３は端子ａ−端子ｃ間が相互に接続され、第３のスイッチ１９は端子ｊ−端子ｌ間が接続されている。
【０１１１】
よって、ＵＭＴＳ１９００の受信信号は、第１の共用アンテナ１にて受信された後、ＳＡＷフィルタ２を通過し、第１のスイッチ３を通過し、ローノイズアンプ７に入力される。
【０１１２】
また、ＵＭＴＳ１９００の送信信号は、アイソレータ１４からダイプレクサ１８を通過し第２の共用アンテナ９より送信される。
【０１１３】
以上のような第３の実施形態によれば、第３のスイッチ１９を備えることにより、ＷＣＤＭＡの受信時およびＵＭＴＳ１９００受信時でローノイズアンプ７及びバンドパスフィルタ８を共用することができるので、バンドパスフィルタ１１及びローノイズアンプ１２（共に図２、図３）を不要とすることができる。よって、携帯電話機を更に小型化・軽量化することが可能となる。
【０１１４】
なお、上記の第３の実施形態では、第３のスイッチ１９を備えることによりＷＣＤＭＡの受信時およびＵＭＴＳ１９００受信時でローノイズアンプ７及びバンドパスフィルタ８を共用する構成を、上記の第２の実施形態（図３：ダイプレクサ１８を備える構成）に適用した例を説明したが、第３のスイッチ１９を備えることによりＷＣＤＭＡの受信時およびＵＭＴＳ１９００受信時でローノイズアンプ７及びバンドパスフィルタ８を共用する構成は、上記の第１の実施形態（図２：ダイプレクサ１８ではなく第２のスイッチ１０及びバンドパスフィルタ１３を備える構成）にも適用することが可能である。
【０１１５】
また、上記の第３の実施形態では、ローノイズアンプ７とバンドパスフィルタ８のうち、ローノイズアンプ７がスイッチ１９側、バンドパスフィルタ８が変復調部１７側に配置されている例を説明したが、ローノイズアンプ７とバンドパスフィルタ８の配置は逆であっても良い。すなわち、バンドパスフィルタ８がスイッチ１９側、ローノイズアンプ７が変復調部１７側に配置されていても良い。
【０１１６】
〔第４の実施形態〕
上記の第３の実施形態では、スイッチ３とスイッチ１９との２つのスイッチを備える例を説明したが、第４の実施形態では、これら２つのスイッチを１つにまとめた例を説明する。
【０１１７】
図７は第４の実施形態に係るＣＤＭＡデュアルバンド携帯電話機（全体図示略）の無線部（全体図示略）が備える第４のスイッチ（第４の切替手段）２０の構成及び接続関係を示す図である。
【０１１８】
第４の実施形態に係るＣＤＭＡデュアルバンド携帯電話機は、スイッチ３，１９に代えて第４のスイッチ（第４の切替手段）２０を備える点でのみ上記の第３の実施形態に係るＣＤＭＡデュアルバンド携帯電話機と異なり、その他の点では、上記の第３の実施形態に係るＣＤＭＡデュアルバンド携帯電話機と同様に構成されている。
【０１１９】
図７に示すように、第４のスイッチ２０は、端子ｍ、端子ｎ、端子ｏ、端子ｐ及び端子ｑの５つの端子を備えている。
【０１２０】
第４のスイッチ２０の端子ｍは、ＳＡＷフィルタ２に接続され、端子ｎはダイプレクサ１８（図４参照）の端子ｈに接続され、端子ｏはアイソレータ４（図４参照）に接続され、端子ｐはローノイズアンプ７（図４参照）に接続されている。
【０１２１】
また、端子ｍは、端子ｑと端子ｏのうちの何れか一方に接続可能となっており、端子ｐは、端子ｑと端子ｎのうちの何れか一方に接続可能となっている。
【０１２２】
図８は本実施形態における第４のスイッチ２０の切り替え制御を説明するための図である。
【０１２３】
使用者によりＷＣＤＭＡの地域である旨の設定操作がなされている場合には、第４のスイッチ２０は、制御部６０の制御下で、端子ｍ−端子ｏ間が相互に接続され、且つ、端子ｎ−端子ｐ間が相互に接続された状態となる。
【０１２４】
すなわち、ＳＡＷフィルタ２をＷＣＤＭＡの送信系の回路（第１の無線通信方式の一方の系の回路）に対して接続し、且つ、ＳＡＷフィルタ２と共用回路（ローノイズアンプ７及びバンドパスフィルタ８）との接続を遮断し、且つ、ダイプレクサ１８を共用回路に対して接続する状態となる。
【０１２５】
他方、使用者によりＵＭＴＳ１９００の地域である旨の設定操作がなされている場合には、第４のスイッチ２０は、制御部６０の制御下で、端子ｍ−端子ｑ間が相互に接続され、且つ、端子ｐ−端子ｑ間が相互に接続された状態となる。
【０１２６】
すなわち、ＳＡＷフィルタ２とＷＣＤＭＡの送信系の回路（第１の無線通信方式の一方の系の回路）との接続を遮断し、且つ、ＳＡＷフィルタ２を前記共用回路に対して接続し、且つ、ダイプレクサ１８と前記共用回路との接続を遮断する状態となる。
【０１２７】
よって、１つのスイッチ２０だけで、上記の第３の実施形態における２つのスイッチ３，１９の機能を担うことができる。
【０１２８】
以上のような第４の実施形態によれば、上記の第３の実施形態と同様の効果が得られる他に、１つのスイッチ２０だけで、上記の第３の実施形態における２つのスイッチ３，１９の機能を担うことができるので、上記の第３の形態と比べて、スイッチを１つ削減することができる。よって、上記の第３の実施形態よりも更に小型化・軽量化が可能となる。
【０１２９】
なお、上記の各実施形態では、ＷＣＤＭＡの地域であるかＵＭＴＳ１９００の地域であるかを使用者が設定し、この設定操作に応じて制御部６０がスイッチ（第１のスイッチ３，第２のスイッチ１０、第３のスイッチ１９、第４のスイッチ２０）を切り替え制御する例を説明したが、これらスイッチの切替制御を自動的に行うようにしても良い。すなわち、例えば、アンテナ１，９により受信する度に、その受信信号の帯域を判別する判別部（判定手段：図示略）を制御部６０に備え、該判別部の判別結果に応じて制御部６０がスイッチを切り替え制御すると良い。
【０１３０】
また、上記の各実施形態では、デュアルバンド携帯電話機（複数の無線通信方式での無線通信が可能な携帯電話機）の一例として、ＷＣＤＭＡとＵＭＴＳ１９００の無線通信方式での無線通信が可能な携帯電話機を例示したが、本発明はこの例に限らず、その他の無線通信方式での無線通信が可能な携帯電話機であっても良い。
【０１３１】
また、上記の各実施形態では、複数の無線通信方式での無線通信が可能な無線装置として、携帯電話機を例示したが、本発明はこの例に限らず、例えば、ＰＨＳ（Ｐｅｒｓｏｎａｌ  Ｈａｎｄｙ  Ｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）などにも同様に適用可能である。また、本発明は、携帯式の無線通信端末装置に限らず、携帯式でない無線通信端末装置にも同様に適用可能である。
【０１３２】
また、上記の各実施形態では、共用バンドパスフィルタとしてＳＡＷフィルタを適用した例を説明したが、共用バンドパスフィルタはＳＡＷフィルタ以外のバンドパスフィルタであっても良い。
【０１３３】
また、上記の各実施形態では、無線通信端末装置（例えば、携帯電話機１００）が、相互に帯域が異なる２つの無線通信方式（例えば、ＷＣＤＭＡ及びＵＭＴＳ１９００）での無線通信が可能であり、共用バンドパスフィルタ（例えばＳＡＷフィルタ２）を共用する系が２つ（ＷＣＤＭＡの送信系とＵＭＴＳ１９００の受信系）である例を説明したが、例えば、無線通信端末装置が、相互に帯域が異なる３つ以上の無線通信方式での無線通信が可能であるような場合には、共用バンドパスフィルタを３つ以上の系において共用することも可能である。この場合、共用バンドパスフィルタは、それら３つ以上の系において使用される帯域の信号を通過させるように構成される。また、この場合、第１の共用アンテナ１も、共用バンドパスフィルタを共用する３つ以上の系において共用される。また、第１の切替手段（例えば、スイッチ３）は、共用バンドパスフィルタを共用する３つ以上の系のうちの何れか１つの系の回路に対して選択的に、共用バンドパスフィルタを接続させる動作を行う。更に、この場合、第２の共用アンテナ９は、共用バンドパスフィルタを共用しない系において共用され、第２の切替手段（例えば、スイッチ１０）は、第２の共用アンテナ９を共用する系のうちの何れか１つの系の回路に対して選択的に第２の共用アンテナ９を接続させる動作を行う。
【０１３４】
また、上記の各実施形態では、共用バンドパスフィルタ（例えばＳＡＷフィルタ２）を共用する系において使用される信号の帯域が互いにほぼ重複している例を説明したが、重複していなくても互いに近接していれば、上記と同様に、共用バンドパスフィルタを共用することができる。
【図面の簡単な説明】
【０１３５】
【図１】第１の実施形態に係るデュアルモード携帯電話機の構成を示すブロック図である。
【図２】第１の実施形態に係るデュアルモード携帯電話機が備える無線部の構成を示すブロック図である。
【図３】第２の実施形態に係るデュアルモード携帯電話機が備える無線部の構成を示すブロック図である。
【図４】第３の実施形態に係るデュアルモード携帯電話機が備える無線部の構成を示すブロック図である。
【図５】第３の実施形態における第１のスイッチ及び第３のスイッチの接続関係を示す図である。
【図６】第３の実施形態における第１のスイッチ及び第３のスイッチの切り替え制御を説明するための図である。
【図７】第４の実施形態に係るデュアルモード携帯電話機の無線部が備える第４のスイッチの構成及び接続関係を示す図である。
【図８】第４の実施形態における第４のスイッチの切り替え制御を説明するための図である。
【図９】従来のデュアルモード携帯電話機が備える無線部の構成を示すブロック図である。
【符号の説明】
【０１３６】
１    第１の共用アンテナ
２    ＳＡＷフィルタ（共用バンドパスフィルタ）
３    第１のスイッチ（第１の切替手段）
４    アイソレータ（第１の無線通信方式の一方の系の回路）
５    パワーアンプ（第１の無線通信方式の一方の系の回路）
６    バンドパスフィルタ（第１の無線通信方式の一方の系の回路）
７    ローノイズアンプ（第２の無線通信方式の一方の系の回路、共用回路）
８    バンドパスフィルタ（第２の無線通信方式の一方の系の回路、共用回路）
９    第２の共用アンテナ
１０  第２のスイッチ（第２の切替手段）
１１  バンドパスフィルタ（個別バンドパスフィルタ、第１の無線通信方式の他方の系の回路）
１３  バンドパスフィルタ（個別バンドパスフィルタ、第２の無線通信方式の他方の系の回路）
１４  アイソレータ（第２の無線通信方式の他方の系の回路）
１５  パワーアンプ（第２の無線通信方式の他方の系の回路）
１６  バンドパスフィルタ（第２の無線通信方式の他方の系の回路）
１８  ダイプレクサ
１９  第３のスイッチ（第３の切替手段）
２０  第４のスイッチ（第４の切替手段）
【図１】
2006262314.tif 000003
【図２】
2006262314.tif 000004
【図３】
2006262314.tif 000005
【図４】
2006262314.tif 000006
【図５】
2006262314.tif 000007
【図６】
2006262314.tif 000008
【図７】
2006262314.tif 000009
【図８】
2006262314.tif 000010
【図９】
2006262314.tif 000011